(57)【特許請求の範囲】
【請求項１】
ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
前記蓄積部に蓄積されている最後に実行されるジョブまで連続的に実行される複数のジョブを投入したユーザが複数の場合に、その複数のユーザの中の1名を電源モードの決定権を与える特定ユーザに選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有する
ことを特徴とする画像処理装置。
【請求項２】
前記選択部は、前記複数のユーザの中の前記連続的に実行される複数のジョブの中で最後に実行されるジョブを投入したユーザを前記特定ユーザに選択する
ことを特徴とする請求項１に記載の画像処理装置。
【請求項３】
ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有し、
前記選択部は、当該画像処理装置のユーザ別の使用頻度に基づいて前記特定ユーザを選択する
ことを特徴とする画像処理装置。
【請求項４】
ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有し、
前記選択部は、各ユーザの優先度に基づいて前記特定ユーザを選択する
ことを特徴とする画像処理装置。
【請求項５】
ユーザ別にそのユーザの指示する電源モードが登録された指示記憶部を備え、
前記指示受付部は、前記選択部によって選択された特定ユーザに対応付けて前記指示記憶部に記憶されている電源モードを、前記特定ユーザの指示する電源モードとして受け付ける
ことを特徴とする請求項１乃至４のいずれか１つに記載の画像処理装置。
【請求項６】
ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
ユーザ別にそのユーザの指示する電源モードが登録された指示記憶部と、
を有し、
前記指示受付部は、前記選択部によって選択された特定ユーザに対応付けて前記指示記憶部に記憶されている電源モードを、前記特定ユーザの指示する電源モードとして受け付ける
ことを特徴とする画像処理装置。
【請求項７】
前記選択部は、前記蓄積部に蓄積されている最後に実行されるジョブまで連続的実行されるジョブを投入したユーザの中から前記特定ユーザを選択する
ことを特徴とする請求項３、４、６のいずれか１つに記載の画像処理装置。
【請求項８】
前記選択部は、前記ジョブ受付部がジョブを受け付ける毎に前記特定ユーザを選択し直す
ことを特徴とする請求項１乃至７のいずれか１つに記載の画像処理装置。
【請求項９】
前記選択部は、前記蓄積部に蓄積されている最後のジョブの実行が終了したとき前記特定ユーザを選択する
ことを特徴とする請求項１乃至７のいずれか１つに記載の画像処理装置。
【請求項１０】
前記指示受付部で第１の特定ユーザから電源モードの指示を受けた後、前記蓄積部に蓄積されている最後のジョブの実行終了前に前記選択部が別の特定ユーザを選択したとき、前記第１の特定ユーザから受けた指示を破棄する
ことを特徴とする請求項８に記載の画像処理装置。
【請求項１１】
前記ジョブ受付部は、ネットワークを介してユーザの端末装置からジョブを受け付ける
ことを特徴とする請求項１乃至１０のいずれか１つに記載の画像処理装置。
【請求項１２】
前記指示受付部は、前記特定ユーザの端末装置に表示させた受付画面を通じてユーザから電源モードの指示を受け付ける
ことを特徴とする請求項１１に記載の画像処理装置。
【請求項１３】
前記ジョブ受付部が受け付けたジョブに予め電源モードの指示情報が付加されており、
前記指示受付部は、前記選択部によって選択された特定ユーザが投入したジョブに付加されている指示情報から前記指示を受け付ける
ことを特徴とする請求項１１に記載の画像処理装置。
【請求項１４】
前記指示受付部で指示を受け付ける電源モードは、通常状態より消費電力の少ない省電力モードとシャットダウンの中の少なくとも１つである
ことを特徴とする請求項１乃至１３のいずれか１つに記載の画像処理装置。
【発明の詳細な説明】
【技術分野】
【０００１】
本発明は、電源モードを変更可能な画像処理装置に関する。
【背景技術】
【０００２】
オフィスに設置されて複数のユーザで共用されるプリンタや複合機などの画像処理装置は、いつでも直ぐにジョブを受け付けて実行できるように電源モードを通常状態のまま待機させておくと便利である。しかし、使用されない状態が継続すると電力が無駄に消費される。
【０００３】
そこで、ジョブを実行していない待機状態が一定時間継続すると、自動的に省電力モードへ移行する機能を備えたものが一般化している。この機能の有効・無効や省電力モードへ移行するまでの待機状態の継続時間などを、管理者が設定変更できるものもある。
【０００４】
また、ネットワークに接続された端末装置から電源状態を指示可能な画像形成装置が提案されている。たとえば、誰も使わない時間帯に自動で電源オフさせるために、電源オフの予定時刻をネットワークに接続された端末装置から予め指示することのできる画像形成装置が提案されている（特許文献１参照。）。この画像形成装置では、予め登録された権限のあるユーザの端末装置からの指示だけを受け付ける。
【先行技術文献】
【特許文献】
【０００５】
【特許文献１】特開２００６−２３１６３６号公報
【発明の概要】
【発明が解決しようとする課題】
【０００６】
待機状態が一定時間継続した場合に自動的に省電力モードへ移行する機能を作動させた場合でも、最終ジョブの実行終了後の一定時間は通常状態でジョブを待機するので、この間に次のジョブが発生しなければ、無駄な電力が消費される。一方、最終ジョブ終了後、直ちに省電力モードへ移行するように設定すると、省電力モードへ移行後すぐに次のジョブが投入された場合は、通常状態へ復帰するための待ち時間が発生して利便性が損なわれる。
【０００７】
このように、最終ジョブ終了後の電源モードを固定的に設定すると、消費電力の低減と利便性の両立には限界がある。
【０００８】
仮に、特許文献１に開示されている技術を応用して、最終ジョブ終了後の電源モードの設定を端末装置から指示できる構成とした場合でも、予め登録された権限のあるユーザの端末装置からのみ指示を受け付ける構成では、その時々の使用状況に応じた適切な設定は望めない。一方、誰でもいつでも指示を出せるようにすると、混乱が生じ、他のユーザの使用や利便性が害されることもある。
【０００９】
本発明は、上記の問題を解決しようとするものであり、最終ジョブ終了後の電源モードをその時々に応じたユーザからの指示に従って変更することのできる画像処理装置を提供することを目的としている。
【課題を解決するための手段】
【００１０】
かかる目的を達成するための本発明の要旨とするところは、次の各項の発明に存する。
【００１１】
［１］ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
前記蓄積部に蓄積されている最後に実行されるジョブまで連続的に実行される複数のジョブを投入したユーザが複数の場合に、その複数のユーザの中の1名を電源モードの決定権を与える特定ユーザに選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有する
ことを特徴とする画像処理装置。
【００１２】
上記発明では、選択部が選択した特定ユーザから電源モードの指示を受け付け、蓄積部に蓄積されている最後のジョブの実行終了後に、当該画像処理装置を、特定ユーザから指示された電源モードに移行させる。
［２］前記選択部は、前記複数のユーザの中の前記連続的に実行される複数のジョブの中で最後に実行されるジョブを投入したユーザを前記特定ユーザに選択する
ことを特徴とする［１］に記載の画像処理装置。
上記発明では、選択部は、蓄積されているジョブの中で最後に実行されるジョブ、すなわち、最新に受け付けたジョブ、を投入したユーザを特定ユーザに選択する。なお、蓄積されているジョブの中で最後に実行されるジョブは、［１］に記載した、蓄積部に蓄積されている最後に実行されるジョブまで連続的実行されるジョブ、の１つに含まれる。
［３］ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有し、
前記選択部は、当該画像処理装置のユーザ別の使用頻度に基づいて前記特定ユーザを選択する
ことを特徴とする画像処理装置。
上記発明では、当該画像処理装置のユーザ別の使用頻度に基づいて特定ユーザを選択する。たとえば、使用頻度が最高のユーザを特定ユーザに選択する。また、使用頻度の高いユーザ（たとえば、使用頻度が一定以上のユーザや上位５位までのユーザ）の中から特定ユーザを選択するようにしてもよい。
［４］ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
を有し、
前記選択部は、各ユーザの優先度に基づいて前記特定ユーザを選択する
ことを特徴とする画像処理装置。
［５］ユーザ別にそのユーザの指示する電源モードが登録された指示記憶部を備え、
前記指示受付部は、前記選択部によって選択された特定ユーザに対応付けて前記指示記憶部に記憶されている電源モードを、前記特定ユーザの指示する電源モードとして受け付ける
ことを特徴とする［１］乃至［４］のいずれか１つに記載の画像処理装置。
［６］ユーザからジョブを受け付けるジョブ受付部と、
前記ジョブ受付部で受け付けたジョブを蓄積する蓄積部と、
前記蓄積部に蓄積されているジョブを順次実行するジョブ実行部と、
電源モードの決定権を与える特定ユーザを選択する選択部と、
前記選択部によって選択された特定ユーザから電源モードの指示を受ける指示受付部と、
前記蓄積部に蓄積されている最後のジョブの実行終了後に、当該画像処理装置を、前記指示された電源モードに移行させる電源制御部と、
ユーザ別にそのユーザの指示する電源モードが登録された指示記憶部と、
を有し、
前記指示受付部は、前記選択部によって選択された特定ユーザに対応付けて前記指示記憶部に記憶されている電源モードを、前記特定ユーザの指示する電源モードとして受け付ける
ことを特徴とする画像処理装置。
上記発明では、指示記憶部に各ユーザの指示が予め記憶してあり、指示受付部は、該指示記憶部を参照して特定ユーザの指示を取得する。
【００１３】
［７］前記選択部は、前記蓄積部に蓄積されている最後に実行されるジョブまで連続的実行されるジョブを投入したユーザの中から前記特定ユーザを選択する
ことを特徴とする［３］、［４］、［６］のいずれか１つに記載の画像処理装置。
【００１４】
上記発明では、蓄積部に蓄積されている最後に実行されるジョブまで連続的実行されるジョブを投入したユーザの中から前記特定ユーザを選択する。本発明の画像処理装置は、ジョブを実行していない状態からジョブの実行を開始すると、実行開始後に新たに受け付けたジョブを含めて、蓄積部に蓄積されているすべてのジョブの実行が終了するまで、連続的にジョブを実行する。ここで、最終ジョブの実行終了後の電源モードは、最終ジョブの実行終了毎に決定して切り替えることができるので、各最終ジョブの実行終了後の電源モードの決定権は、その最終ジョブの手前に連続して実行されるジョブを投入したユーザの中から選択することが適当である。
【００１５】
なお、特定ユーザの選択範囲となるユーザは、最終ジョブまで連続的に実行されるジョブの中の一部のジョブを投入したユーザのみに制限してもよい。たとえば、最終ジョブから所定数手前までのジョブのみに制限する、あるいは、最終ジョブの実行終了前の所定時間内に投入されたジョブのみに制限するとしてもよい。
【００１６】
［８］前記選択部は、前記ジョブ受付部がジョブを受け付ける毎に前記特定ユーザを選択し直す
ことを特徴とする［１］乃至［７］のいずれか１つに記載の画像処理装置。
【００１７】
上記発明では、ジョブの受け付け毎に、以前の特定ユーザに代えて新たな特定ユーザが選択される。なお、指示受付部は、以前の特定ユーザから指示を受け付けている場合はそれを破棄して新たな特定ユーザからの指示を受け付ける。
【００１８】
［９］前記選択部は、前記蓄積部に蓄積されている最後のジョブの実行が終了したとき前記特定ユーザを選択する
ことを特徴とする［１］乃至［７］のいずれか１つに記載の画像処理装置。
【００１９】
上記発明では、選択部は、最後のジョブの実行が終了したとき、特定ユーザを選択し、指示受付部はその選択された特定ユーザから指示を受け付ける。なお、指示を受け付ける前に新たなジョブを受け付けると、特定ユーザの選択が破棄され、その特定ユーザからの指示の受け付けも中止される。
【００２５】
［１０］前記指示受付部で第１の特定ユーザから電源モードの指示を受けた後、前記蓄積部に蓄積されている最後のジョブの実行終了前に前記選択部が別の特定ユーザを選択したとき、前記第１の特定ユーザから受けた指示を破棄する
ことを特徴とする［８］に記載の画像処理装置。
【００２６】
上記発明では、選択部はジョブを受け付ける毎に特定ユーザを選択し直すので、第１の特定ユーザから電源モードの指示を受けた後、蓄積部に蓄積されている最後のジョブの実行終了前に選択部が別の特定ユーザを選択する場合がある。そこで、新たな特定ユーザが選択されたとき、以前の特定ユーザから指示を受け付けている場合はそれを破棄して新たな特定ユーザからの指示を受け付ける。
【００２７】
［１１］前記ジョブ受付部は、ネットワークを介してユーザの端末装置からジョブを受け付ける
ことを特徴とする［１］乃至［１０］のいずれか１つに記載の画像処理装置。
【００２８】
［１２］前記指示受付部は、前記特定ユーザの端末装置に表示させた受付画面を通じてユーザから電源モードの指示を受け付ける
ことを特徴とする［１１］に記載の画像処理装置。
【００２９】
［１３］前記ジョブ受付部が受け付けたジョブに予め電源モードの指示情報が付加されており、
前記指示受付部は、前記選択部によって選択された特定ユーザが投入したジョブに付加されている指示情報から前記指示を受け付ける
ことを特徴とする［１１］に記載の画像処理装置。
【００３０】
上記発明では、特定ユーザの端末装置から受信したジョブに付加されている指示情報からその特定ユーザの指示を取得する。
【００３３】
［１４］前記指示受付部で指示を受け付ける電源モードは、通常状態より消費電力の少ない省電力モードとシャットダウンの中の少なくとも１つである
ことを特徴とする［１］乃至［１３］のいずれか１つに記載の画像処理装置。
【００３４】
なお、省電力モードが、消費電力の異なる複数のモードに区分けされている場合は、指示受付部で指示を受け付け可能な電源モードは、その一部でも、全部でもよい。
【発明の効果】
【００３５】
本発明に係る画像処理装置によれば、最終ジョブ終了後の電源モードをその時々の状態に応じたユーザからの指示に従って変更することができる。
【図面の簡単な説明】
【００３６】
【図１】本発明の実施の形態に係る画像処理装置を含む印刷システムのシステム構成例を示す説明図である。
【図２】本発明の実施の形態に係る画像処理装置の概略構成を示すブロック図である。
【図３】端末装置から新たなジョブを受け付けたときに、電源モードの指示受付画面の表示される端末装置が変化する様子を示す説明図である。
【図４】本体ジョブが最終ジョブの状態で端末装置から新たなジョブを受け付けたとき、その端末装置に電源モードの指示受付画面が表示される様子を示す説明図である。
【図５】最終ジョブ終了後の電源モードの制御であって、端末装置からジョブが投入される毎に特定ユーザを選択し直して指示を受け付ける場合の処理を示す流れ図である。
【図６】最終ジョブ終了後の電源モードの制御であって、最終ジョブの実行終了時に特定ユーザを選択して指示を受け付ける場合の処理を示す流れ図である。
【図７】対象ジョブリストの登録処理を示す流れ図である。
【図８】予約ジョブリストと対象ジョブリストの登録内容の遷移を対比して示す説明図である。
【図９】対象ジョブリストに基づいて特定ユーザを選択する処理の一例を示す流れ図である。
【図１０】ユーザ別指示リストの一例を示す説明図である。
【発明を実施するための形態】
【００３７】
以下、図面に基づき本発明の実施の形態を説明する。
【００３８】
図１は、本発明の実施の形態に係る画像処理装置１０を含む印刷システム５の構成例を示している。印刷システム５は、１または２以上の端末装置３０と画像処理装置１０とをＬＡＮ（Local Area Network）などのネットワーク２を介して通信可能に接続されている。
【００３９】
画像処理装置１０は、原稿を光学的に読み取ってその複製画像を記録紙に印刷するコピージョブ、読み取った原稿の画像データをファイルにして保存したり外部端末へ送信したりするスキャンジョブ、端末装置３０から受信した印刷データに係る画像を記録紙上に形成して印刷出力するＰＣプリントジョブなどのジョブを実行する機能を備えた、所謂、複合機である。
【００４０】
端末装置３０は、ネットワーク２を通じて画像処理装置１０に対してジョブを送信する機能を有する装置である。たとえば、端末装置３０は、文書作成用のアプリケーションプログラムや画像処理装置１０のドライバプログラムなどがインストールされたコンピュータ装置として構成される。
【００４１】
画像処理装置１０は、ジョブの実行中に他のジョブを受け付け可能であり、受け付けたジョブを蓄積記憶し、蓄積されているジョブを古いものから順次実行する。詳細には、画像処理装置１０は、実行待ちのジョブが登録されてキューの機能を果たす予約ジョブリスト４０を備えている。画像処理装置１０は、新たにジョブを受け付けると、そのジョブを予約ジョブリスト４０の末尾に登録する。また、予約ジョブリスト４０の先頭のジョブを実行し、該実行が終了すると、そのジョブを予約ジョブリスト４０から削除するようになっている。また、実行の終了したジョブのデータは蓄積部（ハードディスク装置２２）から削除される。
【００４２】
また、画像処理装置１０は、電源モードとして、ジョブを実行可能な通常状態と、通常状態より消費電力の少ない省電力状態と、シャットダウン（シャットオフとも称す）状態とを有する。
【００４３】
なお、本実施の形態では、省電力状態をさらに細かく区分けしてある。詳細には、省電力状態を、ローパワーモードと、これより消費電力の少ないスリープモードと、さらに消費電力の少ないＥｒＰ対応モードに区分してある。消費電力の少ないモードほど、通常状態へ復帰するまでの時間を長く要する。省電力状態、シャットダウン状態ではジョブは実行できない。省電力状態のうち、ローパワーモードとスリープモードでは、端末装置３０や操作部から新たなジョブを受け付けることができる。シャットダウン、ＥｒＰモードではジョブの受け付けもできないが、通常状態への復帰トリガ（たとえば、特定のスイッチの操作）は受け付ける。
【００４４】
画像処理装置１０は、予約ジョブリスト４０に登録されている最後のジョブ（以後、最終ジョブとする）の実行終了後の電源モードの決定権を与える特定ユーザを所定の選択基準によって選択し、その選択した特定ユーザから電源モードの指示を受け付ける。そして、最終ジョブの実行終了後の電源モードを、特定ユーザの指示した電源モードに切り替える機能を備えている。
【００４５】
図２は、画像処理装置１０の概略構成を示している。画像処理装置１０は、当該画像処理装置１０の動作を統括制御するＣＰＵ（Central Processing Unit）１１と、このＣＰＵ１１に接続されたＲＯＭ（Read Only Memory）１２と、ＲＡＭ（Random Access Memory）１３と、スキャナ部１４と、プリンタ部１５と、表示部１６と、操作部１７と、画像処理部１８と、不揮発メモリ２１と、ハードディスク装置２２と、ネットワークＩ／Ｆ部２３とを備えている。また、画像処理装置１０は、当該画像処理装置１０の各部へ電力供給する電源部２４を備えている。
【００４６】
ＣＰＵ１１ではＯＳプログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像処理装置１０の各機能が実現される。ＲＡＭ１３はＣＰＵ１１がプログラムを実行する際に各種のデータを一時的に格納するワークメモリや画像データを格納する画像メモリなどとして使用される。
【００４７】
スキャナ部１４は、原稿を光学的に読み取って画像データを取得する機能を果たす。スキャナ部１４は、たとえば、原稿に光を照射する光源と、その反射光を受けて原稿を幅方向に１ライン分読み取るラインイメージセンサ、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４８】
プリンタ部１５は、画像データに応じた画像を記録紙上に形成して出力する機能を果たす。ここでは、記録紙の搬送装置と、感光体ドラムと、帯電装置と、レーザユニットと、現像装置と、転写装置と、分離装置と、クリーニング装置と、定着部とを有し、電子写真プロセスによって画像形成を行う、所謂、レーザープリンタとして構成されている。プリンタ部１５は、インクジェット方式など他の方式でもかまわない。
【００４９】
画像処理装置１０の操作パネルは表示部１６と操作部１７を備えて構成される。表示部１６は、液晶ディスプレイ（ＬＣＤ…Liquid Crystal Display）などで構成され、各種の操作画面、設定画面などを表示する機能を果たす。操作部１７は、ユーザからジョブの投入や設定など各種の操作を受け付ける機能を果たす。操作部１７は、表示部１６の画面上に設けられて押下された座標位置を検出するタッチパネルのほかテンキーや文字入力キー、スタートキーなどを備えて構成される。
【００５０】
画像処理部１８は、画像の拡大縮小、回転などの処理のほか、印刷データをイメージデータに変換するラスタライズ処理、画像データの圧縮、伸張処理などを行う。
【００５１】
不揮発メモリ２１は、電源がオフされても記憶内容が破壊されないメモリ（フラッシュメモリ）であり、各種設定情報の保存などに使用される。予約ジョブリスト４０や後述する対象ジョブリスト５０は不揮発メモリ２１に記憶される。なお、予約ジョブリスト４０や対象ジョブリスト５０をハードディスク装置２２に記憶する構成としてもよい。
【００５２】
ハードディスク装置２２は、大容量不揮発の記憶装置であり、たとえば、ジョブのデータや画像データ、ジョブの実行履歴などの保存に使用される。また、ハードディスク装置２２には、予約ジョブリスト４０に登録されている実行待ちのジョブのデータが蓄積される。
【００５３】
ネットワークＩ／Ｆ部２３は、ネットワーク２を通じて端末装置３０やその他の画像処理装置１０、外部装置、サーバなどとの間でデータを送受信して通信する機能を果たす。
【００５４】
電源部２４は、商用電源を適宜の電圧に変換して画像処理装置１０の各部へ電力を供給する。また、ＣＰＵ１１からの指示に従って各部への電力供給状態を切り替える機能を備える。
【００５５】
次に、最終ジョブ終了後の電源モードの制御に関する画像処理装置１０の動作について説明する。
【００５６】
画像処理装置１０は、最終ジョブの実行終了後の電源モードの決定権を与える特定ユーザを所定の選択基準によって選択し、その選択した特定ユーザから電源モードの指示を受け付け、最終ジョブの実行終了後の電源モードをこの指示された電源モードに移行させる。この動作において、特定ユーザの選択基準、選択タイミング、指示の受け付け方法には複数種類のバリエーションがある。
【００５７】
たとえば、特定ユーザの選択基準には、
Ａ１：最終ジョブを投入したユーザを特定ユーザとする、
Ａ２：画像処理装置１０の使用頻度を選択基準とする、
Ａ３：ユーザ別の優先順位を選択基準とする、
などがある。
【００５８】
特定ユーザの選択タイミングには、
Ｂ１：新たにジョブが投入されたとき、
Ｂ２：最終ジョブの実行が終了したとき、
などがある。
【００５９】
また、指示を受ける方法には、
Ｃ１：特定ユーザの端末装置に表示させた受付画面を通じてユーザから電源モードの指示を受け付ける、
Ｃ２：端末装置から送信するジョブのデータに電源モードの指示情報を付加しておき、該指示情報から特定ユーザの指示を取得する、
Ｃ３：ユーザ別の指示を予め指示記憶部に登録しておき、これを参照して特定ユーザの指示を取得する、
などがある。
【００６０】
指示記憶部は、ユーザの識別情報とそのユーザの指示内容とを対応付けて記憶する。指示記憶部は、たとえば、不揮発メモリ２１にデータテーブルとして設けられる。外部のサーバに記憶されてもよい。
【００６１】
ここでは、最終ジョブが端末装置３０から受け付けたジョブである場合だけ、特定ユーザからの指示に従って最終ジョブ終了後の電源モードを制御し、最終ジョブが画像処理装置１０の操作部１７から受け付けたジョブ（以後、これを本体ジョブと呼ぶ）の場合は、画像処理装置１０に予め設定されている規定の電源モードを適用する。また、以後の説明では、端末装置３０から受け付けるジョブはＰＣプリントジョブとする。本体ジョブは、プリンタ部１５を使用するジョブ（コピージョブやボックスプリントジョブ）などとする。
【００６２】
次に、最終ジョブ終了後の電源モードの制御に関する動作例を説明する。ここでは、ジョブが投入される毎に、そのジョブを投入したユーザ（＝この時点での最終ジョブの投入ユーザ）を特定ユーザに選択し、直ちに、その特定ユーザの端末装置３０に指示受付画面を表示して指示の受け付け動作を開始する場合（上記Ａ１、Ｂ１、Ｃ１の組み合わせに相当）を例に説明する。
【００６３】
図３に示すように、予約ジョブリスト４０には、登録されるジョブ毎に、当該予約ジョブリスト４０の先頭からの順位と、ジョブ名称と、ジョブの投入元を示す情報とが対応付けて登録される。順位１のジョブは予約ジョブリスト４０の中で最も古く投入されたジョブであり、順位が増すほど新しいジョブである。端末装置３０から受信したジョブの場合、投入元の欄には、該ジョブの投入元が端末装置３０の名称（ＰＣ１、ＰＣ２など）が登録される。本体ジョブの場合は、投入元の欄に「本体」と登録される。なお、本体ジョブを投入したユーザがユーザ認証により特定されている場合は「本体（認証ユーザ名）」のようにそのユーザ名も登録される。
【００６４】
図３（ａ）に示す予約ジョブリスト４０の状態では、ＰＣ３から受信したＪＯＢ５が最終ジョブなので、画像処理装置１０は、ＪＯＢ５を投入したユーザを特定ユーザに選択する。具体的には、特定ユーザを選択する代わりに、ＪＯＢ５の投入元の端末装置３０であるＰＣ３を選択する。そして、ＰＣ３に電源モードの決定権（以後、単に決定権とする）を付与し、ＰＣ３の表示装置に最終ジョブ終了後の電源モードの指示を受け付ける指示受付画面６１を表示させる。
【００６５】
予約ジョブリスト４０には、ＰＣ１が投入元のＪＯＢ１やＰＣ２が投入元のＪＯＢ２も登録されているが、これらは最終ジョブでないので、ＰＣ１、ＰＣ２には指示受付画面６１は表示しない。
【００６６】
なお、指示受付画面６１には「シャットオフ」、「ＥｒＰ」、「スリープ」、「ローパワー」の各選択釦が表示される。ユーザがいずれかの選択釦を操作すると、その選択釦に対応する電源モードの指定を受け付け、指定された電源モードを端末装置３０から画像処理装置１０に通知する。
【００６７】
図３（ｂ）は、図３（ａ）の状態からＰＣ４によってＪＯＢ６が投入された場合を示している。ＰＣ４からのＪＯＢ６の投入により、最終ジョブはＪＯＢ５からＪＯＢ６に変化する。これに伴い、画像処理装置１０は、ＰＣ３（以前の特定ユーザ）から決定権を剥奪し、ＰＣ４（新たな特定ユーザ）に決定権を付与する。具体的には、ＰＣ３から指示受付画面６１を消去し、ＰＣ４に指示受付画面６１を表示する。
【００６８】
図４（ａ）は、最終ジョブが画像処理装置１０の操作部１７から受け付けた本体ジョブ（ＪＯＢ５）である場合を示している。予約ジョブリスト４０にはＰＣ１から受信したＪＯＢ１、ＰＣ２から受信したＪＯＢ２、ＰＣ３から受信したＪＯＢ３が登録されているが、図４（ａ）の状態では、いずれも最終ジョブでないため、どのＰＣにも決定権は付与せず、いずれのＰＣにも指示受付画面６１は表示しない。
【００６９】
図４（ｂ）は、図４（ａ）の状態からＰＣ４によってＪＯＢ６が投入された場合を示している。ＰＣ４からのＪＯＢ６の投入により、最終ジョブはＪＯＢ５からＪＯＢ６に変化する。これに伴い、画像処理装置１０は、ＪＯＢ６の投入元であるＰＣ４に決定権を付与して、ＰＣ４の表示装置に指示受付画面６１を表示させる。
【００７０】
次に、最終ジョブ終了後の電源モードの制御に関する画像処理装置１０の動作の流れをフローチャートに基づいて説明する。
【００７１】
ここでは、特定ユーザを選択するタイミングが前述のＢ１の場合とＢ２の場合とに分けて処理の流れを説明する。なお、本処理では、ＲＡＭ１３に格納される指示パラメータの値が、最終ジョブ終了後に移行すべき電源モードを表すものとする。
【００７２】
＜特定ユーザを選択するタイミングがＢ１の場合＞
図５は、特定ユーザを選択するタイミングがＢ１の場合、すなわち、ジョブが投入される毎に特定ユーザを選択し直し、その選択した特定ユーザからの指示の受け付け動作を直ちに開始する場合における、最終ジョブ終了後の電源モードの制御に関する流れを示している。
【００７３】
画像処理装置１０は、待機状態あるいはスリープやローパワー状態で端末装置３０あるいは当該画像処理装置１０の操作部１７からジョブを受け付けると、そのジョブに係るデータをハードディスク装置２２に記憶すると共に該ジョブを予約ジョブリスト４０の末尾（この場合は末尾＝先頭）に登録する（ステップＳ１０１）。なお、ジョブ受け付け前の電源状態が省電力状態であった場合は、通常状態に復帰する。
【００７４】
次に、予約ジョブリスト４０の末尾に登録されているジョブ（最終ジョブ）が本体ジョブか否かを調べ（ステップＳ１０２）、本体ジョブであれば（ステップＳ１０２；Ｙｅｓ）、最終ジョブ終了後の電源モードについて登録された指示が既にあれば、それを破棄する。具体的には指示パラメータをリセットする。また、前の特定ユーザからの指示の受け付け動作中であった場合は該受け付け動作を終了させる。具体的には前の特定ユーザの端末装置３０に指示受付画面６１を表示中の場合は、それを消去する（ステップＳ１０３）。そして、最終ジョブ終了後の電源モードに関する規定の指示を指示パラメータに登録して（ステップＳ１０４）、ステップＳ１１４へ移行する。規定の指示は、たとえば、固定的に定められた、あるいは画像処理装置１０の管理者が予め設定した電源モードへの移行を示す指示である。規定の指示は不揮発メモリ２１などに記憶されている。
【００７５】
本体ジョブでない場合は（ステップＳ１０２；Ｎｏ）、最終ジョブ実行終了後の電源モードの決定権を与える特定ユーザの選択と更新を行う（ステップＳ１０５）。選択基準は、前述したＡ１〜Ａ３など各種あり、適宜のものを使用すればよい。
【００７６】
選択した特定ユーザが変化した（新規あるいは前回の特定ユーザと異なる）場合は（ステップＳ１０６；Ｙｅｓ）、最終ジョブ終了後の電源モードについて登録された指示が既にあれば、それを破棄（指示パラメータをリセット）する。また、前の特定ユーザからの指示の受け付け動作中であった場合は該受け付け動作を終了させる（ステップＳ１０７）。
【００７７】
そして、ステップＳ１０５で新たに選択された特定ユーザから最終ジョブ終了後の電源モードに関する指示の受け付け動作を開始する（ステップＳ１０８）。指示の受け付け方法が前述のＣ１の場合は、特定ユーザの端末装置（最終ジョブの投入元の端末装置）３０に指示受付画面６１を表示する。指示の受け付け方法が前述のＣ２の場合は、最終ジョブのデータに付加されている指示情報を読み出す。指示の受け付け方法が前述のＣ３の場合は、最終ジョブを投入したユーザに対応付けて指示記憶部に記憶されている指示を読み出す。なお、指示の受け付け方法が前述のＣ２、Ｃ３の場合は、ステップＳ１０８で指示情報や指示を読み出すことで、指示の受け付けも完了する。
【００７８】
特定ユーザから指示を受ける前に（ステップＳ１１０；；Ｎｏ）、新たなジョブを受け付けた場合は（ステップＳ１１１；Ｙｅｓ）、そのジョブに係るデータをハードディスク装置２２に記憶すると共に該ジョブを予約ジョブリスト４０の末尾に登録して（ステップＳ１１２）、ステップＳ１０２へ移行する。これは、指示の受け付け方法がＣ１の場合に生じ得る。
【００７９】
特定ユーザから指示を受けると（ステップＳ１１０；Ｙｅｓ）、その指示内容を指示パラメータに登録して有効化する（ステップＳ１１３）。また、指示の受け付け方法がＣ１の場合は、特定ユーザに対応する端末装置３０に表示していた指示受付画面６１を消去する。指示の受け付け方法が前述のＣ２、Ｃ３の場合は、ステップＳ１０８で指示情報や指示を読み出すことで、指示の受け付けは完了する（ステップＳ１１０；Ｙｅｓ）。
【００８０】
その後、最終ジョブの実行が終了する前に新たなジョブを受け付けた場合は（ステップＳ１１４；Ｙｅｓ）、そのジョブに係るデータをハードディスク装置２２に記憶すると共に該ジョブを予約ジョブリスト４０の末尾に登録して（ステップＳ１１５）、ステップＳ１０２へ移行する。
【００８１】
新たなジョブの受け付け前に最終ジョブの実行が終了したときは（ステップＳ１１４；Ｎｏ、ステップＳ１１６；Ｙｅｓ）、指示パラメータの示す電源モードへ移行する（ステップＳ１１７）。移行後の電源モードがスリープモードまたはローパワーモードのときは（ステップＳ１１８；Ｙｅｓ）、ステップＳ１０１へ戻り、その他（シャットオフまたはＥｒＰ）の場合は処理を終了する。
【００８２】
最終ジョブの終了前、あるいは、指示を受ける前に新たなジョブを受け付けてステップＳ１０２に戻り、そのジョブが本体ジョブでなく（ステップＳ１０２；Ｎｏ）特定ユーザを選択し直す処理を行った場合に（ステップＳ１０５）、新たに選択された特定ユーザが前回の特定ユーザと同一の場合がある。この場合に（ステップＳ１０６；Ｎｏ）、その特定ユーザから既に指示を受けているときは（ステップＳ１０９；Ｙｅｓ）、ステップＳ１１４へ移行する。まだ指示を受けていないときは（ステップＳ１０９；Ｎｏ）、ステップＳ１１０へ移行して、指示の受け付けを待つ。
【００８３】
このように、図５の処理手順では、選択された直後から指示の受け付け動作を開始するので、最終ジョブ終了時点で指示が受け付け済みとなっている場合が多くなり、最終ジョブの終了後、直ちに、電源モードを、指定のモードに移行させることができる。特に、指示の受け付け方法がＣ１の場合に有効である。
【００８４】
なお、指示パラメータがリセットされている（ステップＳ１１０、Ｓ１１１をループしている）状態のまま、最終ジョブが終了して所定時間が経過したときは、予め定めた電源モード（たとえば、規定の指示と同じ電源モード）に自動的に移行するように構成してもよい。
【００８５】
＜特定ユーザを選択するタイミングがＢ２の場合＞
図６は、特定ユーザを選択するタイミングがＢ２の場合、すなわち、最終ジョブの実行終了時点で特定ユーザを選択して指示を受け付ける場合における、最終ジョブ終了後の電源モードの制御の流れを示している。
【００８６】
画像処理装置１０は、待機状態あるいはスリープやローパワー状態で端末装置３０あるいは当該画像処理装置１０の操作部１７からジョブを受け付けると、そのジョブに係るデータをハードディスク装置２２に記憶すると共に該ジョブを予約ジョブリスト４０の末尾（この場合は末尾＝先頭）に登録する（ステップＳ２０１）。なお、ジョブ受け付け前の電源状態が省電力状態であった場合は、通常状態に復帰する。
【００８７】
その後、最終ジョブの実行終了を待ち（ステップＳ２０２；Ｎｏ）、ステップＳ２０３；Ｎｏ）、終了前に新たなジョブを受け付けた場合は（ステップＳ２０３；Ｙｅｓ）、そのジョブに係るデータをハードディスク装置２２に記憶すると共に該ジョブを予約ジョブリスト４０の末尾に登録して（ステップＳ２０４）、ステップＳ２０２へ移行する。
【００８８】
最終ジョブの実行が終了した場合は（ステップＳ２０２；Ｙｅｓ）、最終ジョブが本体ジョブか否かを調べ（ステップＳ２０５）、本体ジョブであれば（ステップＳ２０５；Ｙｅｓ）、最終ジョブ終了後の電源モードに関する規定の指示に対応する電源モードに移行する（ステップＳ２０６）。そして、移行後の電源モードがスリープモードまたはローパワーモードのときは（ステップＳ２１３；Ｙｅｓ）、ステップＳ２０１へ戻り、その他（シャットオフまたはＥｒＰ）の場合は処理を終了する。
【００８９】
実行の終了した最終ジョブが本体ジョブでない場合は（ステップＳ２０５；Ｎｏ）、最終ジョブ実行終了後の電源モードの決定権を与える特定ユーザの選択と更新を行う（ステップＳ２０７）。選択基準は、前述したＡ１〜Ａ３など各種あり、適宜のものを使用すればよい。
【００９０】
選択した特定ユーザから最終ジョブ終了後の電源モードに関する指示の受け付け動作を開始する（ステップＳ２０８）。指示の受け付け方法が前述のＣ１の場合は、特定ユーザの端末装置（最終ジョブの投入元の端末装置）３０に指示受付画面６１を表示する。指示の受け付け方法が前述のＣ２の場合は、最終ジョブのジョブデータに付されている指示情報を読み出す。指示の受け付け方法が前述のＣ３の場合は、最終ジョブを投入したユーザに対応付けて記憶されている指示を指示記憶部から読み出す。なお、指示の受け付け方法が前述のＣ２、Ｃ３の場合は、ステップＳ２０８で指示情報や指示を読み出すことで、指示の受け付けも完了する。
【００９１】
特定ユーザから指示を受ける前に（ステップＳ２０９；；Ｎｏ）、新たなジョブを受け付けた場合は（ステップＳ２１０；Ｙｅｓ）、前の特定ユーザからの指示の受け付け動作を終了させる（ステップＳ２１１）。具体的には、前の特定ユーザの端末装置３０から指示受付画面６１を消去する。
【００９２】
特定ユーザから指示を受けると（ステップＳ２０９；Ｙｅｓ）、その指示された電源モードへ移行し（ステップＳ２１２）、ステップＳ２１３へ進む。なお、指示の受け付け方法がＣ１の場合は、指示を受け付けた後、特定ユーザの端末装置３０から指示受付画面６１を消去する。
【００９３】
このように、最終ジョブの実行終了時点で特定ユーザを選択して指示を受け付ける図６の処理手順の場合は、特定ユーザから受けた指示が破棄されるケースは生じない。このため、指示受付画面６１から指示を入力するユーザの労力が無駄になることがない。
【００９４】
次に、特定ユーザの選択基準について説明する。
【００９５】
特定ユーザの選択基準Ａ１（最終ジョブの投入ユーザを特定ユーザとする）については前述した通りで省略する。特定ユーザの選択基準がＡ２（画像処理装置１０の使用頻度を選択基準とする）の場合は、ジョブの実行履歴を記録しておき、該実行履歴からユーザ別の使用頻度を求め、最も使用頻度の高いユーザを特定ユーザに選択する。ジョブの履歴は、過去所定期間（たとえば、１ヶ月、半年、あるいは過去の全期間など）におけるユーザ別の端末装置３０の使用頻度を認識可能な情報であればよい。たとえば、画像処理装置１０は、過去所定期間に実行した各ジョブについてそのジョブの種類、実行結果、投入元などを対応付けたものをジョブの実行履歴として累積記憶する。ジョブ履歴は外部のサーバが記憶管理する構成でもよい。その場合は、そのサーバから取得すればよい。
【００９６】
特定ユーザの選択基準がＡ３（ユーザ別の優先順位を選択基準とする）の場合には、予めユーザ別の優先順位を登録可能とし、たとえば、最近実行されたジョブの中で優先順位の最も高いユーザを特定ユーザに選択する。優先順位は、役職、使用頻度、など複数の要素から定めてもよい。
【００９７】
特定ユーザの選択基準がＡ２（画像処理装置１０の使用頻度を選択基準とする）やＡ３（ユーザ別の優先順位を選択基準とする）の場合には、選択対象となるユーザの範囲を、当該画像処理装置１０を利用するすべてのユーザとしてもよいし、一部のユーザに限定してもよい。
【００９８】
一部に限定する方法として、最終ジョブまで連続的に実行されたジョブの投入ユーザのみに限定する方法がある。たとえば、最終ジョブまで連続的に実行されたジョブを対象ジョブリスト５０（図８参照）に登録し、対象ジョブリスト５０の中から特定ユーザを選択する。
【００９９】
図７は、最終ジョブまで連続的に実行されたジョブを対象ジョブリスト５０に登録する処理の流れを示している。画像処理装置１０は、ジョブを実行していない待機状態にて端末装置３０からジョブを受信すると（ステップＳ３０１）、対象ジョブリスト５０を初期化してクリアした後、受信したジョブを対象ジョブリスト５０に登録する（ステップＳ３０２）。対象ジョブリスト５０にはジョブ名称とこのジョブの投入元が対応付けて登録される。
【０１００】
その後、予約ジョブリスト４０の最終ジョブの実行が終了するまでの間に（ステップＳ３０３；Ｎｏ、Ｓ３０６；Ｎｏ）、端末装置３０からジョブを受信した場合は（ステップＳ３０３；Ｙｅｓ、Ｓ３０４；Ｎｏ）、そのジョブを対象ジョブリスト５０に追加登録する（ステップＳ３０５）。本体ジョブを受け付けたとしてもそのジョブは対象ジョブリスト５０に登録しない（ステップＳ３０４；Ｙｅｓ）。予約ジョブリスト４０の最終ジョブの実行が終了すると（ステップＳ３０６；Ｙｅｓ）本処理を終了する。
【０１０１】
これにより、最終ジョブまで連続的に実行されるジョブのうち端末装置３０から受信したすべてのジョブが対象ジョブリスト５０に登録される。
【０１０２】
図８は、予約ジョブリスト４０と対象ジョブリスト５０との関係を例示している。待機状態やスリープ、ローパワーモードの状態で端末装置３０からＪＯＢ１が投入されると、予約ジョブリスト４０にＪＯＢ１が登録されると共に、対象ジョブリスト５０は初期化された後、ＪＯＢ１が登録される（同図（ａ））。
【０１０３】
その後、最終ジョブ（この時点ではＪＯＢ１）の終了前に、本体ジョブであるＪＯＢ２を受け付けると、ＪＯＢ２は予約ジョブリスト４０の末尾に登録されるが、対象ジョブリスト５０には登録されない（同図（ｂ））。
【０１０４】
その後、最終ジョブ（この時点ではＪＯＢ２）の終了前に、端末装置３０からＪＯＢ３を受け付けると、ＪＯＢ３は予約ジョブリスト４０の末尾に登録されると共に対象ジョブリスト５０に追加登録される（同図（ｃ））。
【０１０５】
その後、ＪＯＢ１の実行が終了すると、ＪＯＢ１は予約ジョブリスト４０から削除される。対象ジョブリスト５０では実行が終了してもジョブは削除されない（同図（ｄ））。
【０１０６】
同図（ｅ）は、その後に新たなジョブの投入がないままＪＯＢ４が予約ジョブリスト４０の最終ジョブとなったときの状態を示している。予約ジョブリスト４０にはＪＯＢ４のみが登録され、実行済みのジョブは削除されるが、対象ジョブリスト５０には、ＪＯＢ１、ＪＯＢ３、ＪＯＢ４が登録されている。
【０１０７】
このように、実行の終了したジョブは順次予約ジョブリスト４０から削除されるが、対象ジョブリスト５０には、最終ジョブまで連続的に実行されたジョブのうち端末装置３０から受信したすべてのジョブが登録される。
【０１０８】
たとえば、特定ユーザの選択基準がＡ２（画像処理装置１０の使用頻度を選択基準とする）の場合は、図５のステップＳ１０５や図６のステップＳ２０７において、その時点で対象ジョブリスト５０に登録されているジョブの投入ユーザの中から特定ユーザを選択する。
【０１０９】
詳細には、図９に示すように、対象ジョブリスト５０に登録されているジョブを投入したそれぞれのユーザについて、そのユーザの過去所定期間における当該画像処理装置１０の使用頻度をジョブの実行履歴から取得し（ステップＳ３２１）、使用頻度が最も多いユーザを特定ユーザに選択する（ステップＳ３２２）。
【０１１０】
このように、最終ジョブ終了後の電源モードの決定権を付与する特定ユーザを、その最終ジョブまで連続的に実行されたジョブの投入ユーザの中から選択するので、最近の画像処理装置１０を使用したユーザ（当該最終ジョブ終了後の電源モードに係りのあるユーザ）の中から特定ユーザを選択することができる。特に、最終ジョブの実行終了後の電源モードは、最終ジョブの実行終了毎に決定して切り替えることができるので、各最終ジョブの実行終了後の電源モードの決定権を、その最終ジョブの手前に連続して実行されるジョブを投入したユーザの中から選択することにより、その時々において適切なユーザ範囲の中から特定ユーザを選択することができる。
【０１１１】
なお、対象ジョブリスト５０に登録されているジョブの数が多数となる場合には、対象ジョブリスト５０に登録されているジョブのうち最終ジョブから手前の所定範囲のジョブだけにさらに絞り込み、その絞り込んだジョブの投入ユーザの中から特定ユーザを選択するようにしてもよい。たとえば、最終ジョブの手前の所定個のジョブのみに限定する、あるいは、手前の所定時間内に実行されたジョブのみに限定する、手前の所定時間内に投入されたジョブのみに限定する。
【０１１２】
次に、指示を受ける方法について説明する。
【０１１３】
＜指示を受ける方法がＣ１の場合＞
画像処理装置１０は、特定ユーザの端末装置３０に指示受付画面６１を表示させて指示を受け付ける。具体的には、端末装置３０に電源モードの指示の受け付けに関する所定のプログラムを常駐させる。ここでは、所定のプログラムは画像処理装置１０のドライバプログラムとする。画像処理装置１０は、指示受付画面６１を表示させる際に所定の表示コマンドを端末装置３０に対して送信する。これを受信した画像処理装置１０のドライバプログラムは指示受付画面６１を自装置の表示装置に表示し、ユーザから電源モードの指示を受け付ける。ユーザから指示を受け付けるとその指示内容を画像処理装置１０に対して送信する。
【０１１４】
また、画像処理装置１０は、指示受付画面６１を消去させる際には所定の消去コマンドを端末装置３０に対して送信し、これを受信した端末装置３０のドライバプログラムは自装置の表示装置に表示している指示受付画面６１を消去する。
【０１１５】
＜指示を受ける方法がＣ２の場合＞
画像処理装置１０のドライバプログラムは、所定の印刷設定画面を通じてユーザから最終ジョブ終了後の電源モードに関する指示を受け付け、その受け付けた指示を不揮発メモリなどに記憶する。そして、ジョブを画像処理装置１０に送信するとき、記憶してある指示内容、あるいは印刷設定画面で指示が変更されたときはその変更後の指示内容を示す指示情報をジョブのデータに付加して画像処理装置１０へ送信する。
【０１１６】
Ｃ２では、画像処理装置１０は、ジョブ受信時にそのジョブを投入したユーザの指示（指示情報）を取得しているので、最終ジョブ終了後、特定ユーザの指示する電源モードへ、直ちに移行することができる。また、ユーザはジョブの送信作業の１つとして電源モードを指示できるので、後に表示される指示受付画面６１で指示を別途入力する手間がなく利便性が高い。特に、不揮発メモリに記憶してある指示をそのまま使用する場合は、印刷設定画面から指示をあらためて入力する手間もなく、さらに便利である。
【０１１７】
＜指示を受ける方法がＣ３の場合＞
画像処理装置１０は、最終ジョブ終了後の電源モードに関するユーザ別の指示を所定の操作画面や外部端末から受け付け、その内容を不揮発メモリに記憶する。図１０は、ユーザ別の指示を登録する指示記憶部の一例としてのユーザ別指示リスト７０である。ユーザ別指示リスト７０には、ユーザ別に、そのユーザが使用する端末装置３０の名称と、指定された電源モードが対応付けて登録されている。端末装置３０の名称は、端末装置３０を一意に特定できる情報であればよく、端末装置３０のＩＰアドレスなどでもよい。
【０１１８】
Ｃ３では、予めユーザ別の指示を受け付けて登録してあるので、指示された電源モードへ、最終ジョブの実行終了後、直ぐに移行することができる。また、画像処理装置１０にユーザ別指示リスト７０を記憶するので、端末装置３０側のドライバプログラムに指示を受け付ける機能や指示受付画面６１を表示する機能を設ける必要がない。
【０１１９】
以上のように、本発明の画像処理装置は、電源モードの決定権を付与する特定ユーザをジョブの受け付け毎あるいは最終ジョブの実行終了時に選択し、その特定ユーザから電源モードの指示を受け付け、予約ジョブリスト４０の最終ジョブの実行終了後に当該画像処理装置を、最後に選択された特定ユーザから受け付けた指示の示す電源モードに移行させるので、最終ジョブの実行終了後の電源モードを、その時々に応じたユーザからの指示に従って変更することができる。
【０１２０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２１】
実施の形態では、本体ジョブを対象外にしたが、本体ジョブを投入したユーザを特定ユーザに選択できるようにしてもよい。たとえば、本体ジョブを投入したユーザがユーザ認証などで特定可能な場合であって指示の受けつけ方法がＣ２あるいはＣ３の場合は、本体ジョブを投入したユーザを特定ユーザに選択することができる。Ｃ１の場合、画像処理装置１０の表示部１６や操作部１７からそのユーザの指示を受け付けるように構成すればよい。
【０１２２】
なお、指示の受け付け方法がＣ２やＣ３などのように予め特定ユーザの指示を取得している場合は、図６の処理手順が適切である。
【０１２３】
最終ジョブの実行終了後の電源モードの選択肢を、シャットオフ、ＥｒＰ、スリープ、ローパワーの４種類としたが、選択肢の数や種類はこれに限定されず、より多くても、少なくてもかまわない。選択肢は、たとえば、ＥｒＰの１種類でもよい。この場合、ＥｒＰの指示が有ればＥｒＰモードに移行し、指示がなければ規定の電源モードに移行する、ように構成すればよい。
【０１２４】
実施の形態では画像処理装置１０が複合機の場合を例に説明したが、端末装置からジョブを受信して実行する装置であればよく、ネットワーク接続可能な複写機、プリンタ、スキャナなどでもかまわない。
【符号の説明】
【０１２５】
２…ネットワーク
５…印刷システム
１０…画像処理装置（ＭＦＰ）
１１…ＣＰＵ
１２…ＲＯＭ
１３…ＲＡＭ
１４…スキャナ部
１５…プリンタ部
１６…表示部
１７…操作部
１８…画像処理部
２１…不揮発メモリ
２２…ハードディスク装置
２３…ネットワークＩ／Ｆ部
２４…電源部
３０…端末装置（ＰＣ）
４０…予約ジョブリスト
５０…対象ジョブリスト
６１…指示受付画面
７０…ユーザ別指示リスト
【図１】
0005696880.tif 000002
【図２】
0005696880.tif 000003
【図３】
0005696880.tif 000004
【図４】
0005696880.tif 000005
【図５】
0005696880.tif 000006
【図６】
0005696880.tif 000007
【図７】
0005696880.tif 000008
【図８】
0005696880.tif 000009
【図９】
0005696880.tif 000010
【図１０】
0005696880.tif 000011